(57)【特許請求の範囲】
【請求項１】
容器の口部に設けられる栓構造であって、
上部で外部に通じる通路と、
その通路の下端に上端が連通し、かつ前記通路より内径が大きい球体収納部と、
その球体収納部内に挿入され、その内周面に上方の部分を密着させた合成樹脂製の球体と、
その球体を上向きに支持し、上下動しないように係止する玉止部とを備え、
前記球体収納部の球体が接触する内周面の一部に、その接触する内周面を境に球体の上方と下方とを連通させる少なくとも一本の縦溝が形成された、滴下機能付き栓構造。
【請求項２】
容器の口部に設けられる栓構造であって、
上部で外部に通じる通路と、
その通路の下端に上端が連通し、かつ前記通路より内径が大きい球体収納部と、
その球体収納部内に挿入され、その内周面に上方の部分を密着させた合成樹脂製の球体と、
その球体を上向きに支持し、上下動しないように係止する玉止部とを備え、
前記球体収納部の内周面または球体の表面の一部で、その接触する部位を境に球体の上方と下方とを連通させるようにシボ加工が施された、滴下機能付き栓構造。
【請求項３】
前記通路の下方に通路よりも内径が小さい狭部が形成されている請求項１または２記載の滴下機能付き栓構造。
【請求項４】
前記球体収納部が球体の直径より大きい内径寸法の部分を有し、
その内径寸法が上側に向かって小さくなり、前記通路の下端に至る請求項１、２または３記載の滴下機能付き栓構造。
【請求項５】
前記球体収納部の上方に前記通路を有するノズル部が形成された請求項１、２、３または４記載の栓構造。
【請求項６】
前記球体収納部の上方に、前記通路を有する塗付部が形成され、その塗付部が内容物を塗付することができる天面を有し、前記通路が天面で外部に通じる請求項１、２、３または４記載の栓構造。
【請求項７】
容器の口部に嵌合される栓本体を有し、その栓本体の内部に請求項１〜６いずれか記載の栓構造を備えている滴下機能付き栓本体。
【請求項８】
容器の口部に螺合または係合されるキャップ本体と、そのキャップ本体にヒンジを介して開閉自在に設けられる蓋体とを有し、前記キャップの内部に請求項１〜６いずれか記載の栓構造を備えているワンタッチキャップ。
【請求項９】
請求項１〜６いずれか記載の栓構造を備えたチューブ容器。
【請求項１０】
請求項１〜６いずれか記載の栓構造を備えたエアゾール容器。
【請求項１１】
請求項１〜６いずれか記載の栓構造を備えたボトル容器。
【発明の詳細な説明】
【０００１】
【発明の属する技術分野】
この発明は、滴下機能付き容器に関し、さらに詳しくは内容物を切れ良く、安定的に所望する量を確実に滴下させることができ、量産化が容易な滴下機能付き容器に関する。
【０００２】
【従来の技術】
従来、チューブ容器内に収納された内容物を、少量ずつ滴下して抽出する滴下機能付きチューブ容器がある。そして目薬等を滴下する場合は、ボトル容器自体の材質を硬くして、その剛性を利用して目薬等の内容物の滴下が行われていた。しかし、チューブ容器の場合、チューブ容器のスクイズ性を考慮して、通常軟らかい材質が用いられるため、手で押圧した場合に内容物が一度に多量に抽出してしまう欠点があった。従来、特開２００２−３９４０９号公報に示すような滴下機能付きチューブ容器が開示されている。図１６は、従来の滴下機能付きチューブ容器であり、チューブ容器２０１の口部２０２には栓本体２００が嵌入されている。このチューブ容器２０１は、公知の製造方法であるインジェクション成形又はブロー成形法により製造される単層チューブ容器、多層チューブ容器である。栓本体２００は、上方にノズル２０４が形成され、このノズル２０４の通路２０４ａに連続して、内径が拡大された球体収納部２０５が形成されている。この球体収納部２０５の内径寸法は、球体２０６の直径より若干大きく構成されている。そして、球体２０６が、球体収納部２０５内を上下動できる位置に全周に３〜４等分して、玉止部２０７が半径方向内側に膨出して形成されている。この玉止部２０７の下方には、球体挿入口２０８が形成され、この球体挿入口２０８の内径は、球体２０６が挿入できるように、球体２０６の直径より若干大きく構成され、球体２０６は球体挿入口２０８及び玉止部２０７から球体収納部２０５に無理挿入される。さらに、球体収納部２０５の内周面には、少なくとも１本以上の縦溝２０９が形成されている。この縦溝２０９の幅、縦溝深さ、長さ、本数については、内容物の粘度や１回で抽出される内容物の滴下量等によって適宜決定されている。
【０００３】
【発明が解決しようとする課題】
しかしながら、このような従来のチューブ容器にあっては、以下に示す欠点があった。図１６に示すように球体２０６が、球体収納部２０５内で上下動するので、球体２０６より先に内容物が流れるため、球体２０６と球体収納部２０５との間に内容物の膜が生じる。そのため、球体２０６が球体収納部２０５の内周面に密着せず、必要以上の内容物が外に流れ出すという欠点があった。
【０００４】
この発明は、このような従来の課題に着目してなされたもので、内容物を切れ良く安定的に所望する量を確実に滴下させることができ、量産化が容易な滴下機能付き容器を提供することを目的とする。
【０００５】
【課題を解決するための手段】
この課題を解決するため、請求項１記載の滴下機能付き栓構造は、容器の口部に設けられる栓構造であって、上部で外部に通じる通路と、その通路の下端に上端が連通し、かつ前記通路より内径が大きい球体収納部と、その球体収納部内に挿入され、その内周面に上方の部分を密着させた合成樹脂製の球体と、その球体を上向きに支持し、上下動しないように係止する玉止部とを備え、前記球体収納部の球体が接触する内周面の一部に、その接触する内周面を境に球体の上方と下方とを連通させる少なくとも一本の縦溝が形成されたことを特徴としている。
【０００６】
請求項２記載の滴下機能付き栓構造は、容器の口部に設けられる栓構造であって、上部で外部に通じる通路と、その通路の下端に上端が連通し、かつ前記通路より内径が大きい球体収納部と、その球体収納部内に挿入され、その内周面に上方の部分を密着させた合成樹脂製の球体と、その球体を上向きに支持し、上下動しないように係止する玉止部とを備え、前記球体収納部の内周面または球体の表面の一部で、その接触する部位を境に球体の上方と下方とを連通させるようにシボ加工が施されたことを特徴としている。
【０００７】
請求項３記載の滴下機能付き栓構造は、請求項１に対応する滴下機能付き栓構造であって、前記通路の下方に通路よりも内径が小さい狭部が形成されていることを特徴としている。
また、請求項４記載の滴下機能付き栓構造は、請求項１に対応する滴下機能付き栓構造であって、前記球体収納部が球体の直径より大きい内径寸法の部分を有し、その内径寸法が上側に向かって小さくなり、前記通路の下端に至ることを特徴としている。
さらに、請求項５記載の滴下機能付き栓構造は、請求項１に対応する滴下機能付き栓構造であって、前記球体収納部の上方に通路を有するノズル部が形成されたことを特徴としている。
【０００８】
請求項６記載の滴下機能付き栓構造は、上述したいずれかの滴下機能付き栓構造であって、前記球体収納部の上方に、前記通路を有する塗付部が形成され、その塗付部が内容物を塗付することができる天面を有し、前記通路が天面で外部に通じることを特徴としている。
【０００９】
請求項７記載の滴下機能付き栓本体は、容器の口部に嵌合される栓本体を有し、その栓本体の内部に上述したいずれかの滴下機能付き栓構造を備えていることを特徴としている。
【００１０】
請求項８載の滴下機能付きワンタッチキャップは、容器の口部に螺合または係合されるキャップ本体と、そのキャップ本体にヒンジを介して開閉自在に設けられる蓋体とを有し、前記キャップの内部に上述したいずれかの滴下機能付き栓構造を備えていることを特徴としている。
【００１１】
請求項９記載の滴下機能付きチューブ容器は、上述した滴下機能付き栓構造を備えたことを特徴としている。また、請求項１０記載の滴下機能付きエアゾール容器は、上述した滴下機能付き栓構造を備えたことを特徴としている。さらに、請求項１１記載の滴下機能付きボトル容器は、上述した滴下機能付き栓構造を備えたことを特徴としている。
【００１２】
【発明の実施の形態】
次に、この発明の実施の形態を図面に基づいて説明する。図１は、本発明に係る滴下機能付きチューブ容器であり、この発明に係る第１実施の形態を示す図面である。図１において、栓本体２はチューブ容器１の口部３に嵌入されている。チューブ容器１は従来公知の方法であるインジェクション成形又はブロー成形法により製造される単層の樹脂チューブ容器、多層の樹脂チューブ容器又はラミネートチューブ容器である。栓本体２は、上方にノズル部４が形成され、このノズル部４内には通路４ａが形成されている。ノズル部の通路４ａの高さ寸法は１ｍｍ以上あればよく、好ましくは４〜５ｍｍが適する。この通路４ａの下方には狭部４ｂが形成され、狭部４ｂから内径が拡大された球体収納部５が連続している。この球体収納部５の内径寸法は、球体６の直径より若干大きく構成されている。次に、球体６の下側には球体６の直径より、内径が若干小さく構成された玉止部７が、半径方向内側に膨出して形成されている。この玉止部７で、球体６が支持され球体収納部５内において、球体６が上下に移動せずに固定されている。さらに、この玉止部７の下方には、球体挿入口８が形成され、この球体挿入口８の内径は、球体６が無理挿入できるように、球体６の直径より若干大きく構成されている。球体６は、成形後球体６表面に研磨加工が施され、真球度７μｍ以内、公差±０．０５ｍｍの範囲に加工される。
【００１３】
球体収納部５の内周面には、少なくとも一本の縦溝９が形成されている。縦溝９の幅、縦溝深さ、本数については、内容物の粘度、１回で抽出される内容物の滴下量等によって、適宜に決定できる。例えば、一本の縦溝９の幅が０．４ｍｍ、深さが０．０７ｍｍ、長さが１．２ｍｍの縦溝９の場合、一本の場合の内容物は水と同程度の粘度を有する内容物であり、二本の場合はマヨネーズと同程度の粘度を有する内容物、三本の場合はそれ以上の粘度を有する内容物に適する。なお、図９に示すように縦溝９に代えて、球体収納部５の内周面に、シボ加工９ａが施されてもよい。このシボ加工９ａの深さ（図１１に示すＨ）は、内容物の粘度、１回で抽出される内容物の滴下量等によって適宜に決定することができるが、例えば、内容物の粘度が低い場合は、最大深さＨが１４μｍ程度、内容物の粘度が高い場合は、Ｈ＝８０μｍ程度が適し任意に決定することができる。さらに、図１０に示すように、球体６の表面にシボ加工６ａを施してもよい。この球体６の表面に形成されるシボ加工６ａの深さ（図１１に示すＨ）は、球体収納部５の表面に施されるシボ加工の深さと同程度である。
【００１４】
図３はチューブ容器１１の口部１３に球体収納部１５が一体成形された第２実施の形態を示す図面である。第１実施の形態と異なるのは栓本体がないことである。その他の構成である球体１６、玉止部１７、球体収納部１５、縦溝部１９及びノズル部１４、通路１４ａ及び狭部４ｂ等の構成は、第１実施の形態と同様である。
【００１５】
図４は、第３実施の形態を示す断面図である。図４において、栓本体１２はチューブ容器１１の口部１３に嵌入されている。この第３実施の形態は、栓本体１２の上方に塗布部１２ａが形成され、この塗布部１２ａ内には通路１４ａ及び狭部１４ｂが形成されている。チューブ容器１１は、公知の製造方法であるインジェクション成形又はブロー成形法等により製造される単層チューブ容器、多層チューブ容器である。天面の塗布部１２ａにより薬剤等の内容物を患部に塗布することができる点が特徴である。その他の構成である、球体収納部１５、球体１６、玉止部１７、縦溝部１９等の構成は、他の実施の形態と同様である。
【００１６】
図５は、第４実施の形態を示す断面図である。この第４実施の形態は、チューブ容器２１の口部２３に球体収納部２５を一体成形で形成したものである。この第４実施は、口部２３の先端に塗布部２２が形成されている点で、第３実施の形態と同様であり、他の実施の形態と異なるのは、栓本体、ノズル部が設けられていない。その他の構成である、球体収納部２５、球体２６、玉止部２７、縦溝部２９及び通路２４ａ及び狭部２４ｂ等の構成は、他の実施の形態と同様である。
【００１７】
図６は第５実施の形態を示す断面図である。この第５実施の形態は、この発明に係る滴下機能付きチューブ容器が、ワンタッチキャップを有するチューブ容器である場合の実施の形態である。すなわち、図６に示すように、ワンタッチキャップ９０は、キャップ本体９４と蓋体９２が、ヒンジ９１を介して開閉自在なワンタッチキャップ９０である。このワンタッチキャップ９０のキャップ本体９４の中心には球体収納部３５が形成されており、球体収納部３５はチューブ容器３１の口部３３に螺合又は嵌合されている。そして、同様に球体３６は、球体収納部３５内に挿入され、球体収納部３５内で上下動しないように玉止部３７で固定されている。その他ノズル部３４、通路３４ａ及び狭部３４ｂ、溝部３９等の構成は、第１及び第２実施の形態と同様である。なお、ノズル部３４の通路３４ａ先端には、蓋体９２の中心に形成された突起９３が係脱自在に係合している。
【００１８】
次に、図７は第６実施の形態を示す断面図である。この第６実施の形態は、この発明に係る滴下機能付きチューブ容器が、ワンタッチキャップを有するチューブ容器である場合の実施の形態である。図７に示すように、キャップ本体９５と蓋体９８がヒンジ９６を介して開閉自在なワンタッチキャップ９５である。ワンタッチキャップ９５のキャップ本体９８の中心には球体収納部５５が形成されており、この球体収納部５５の先端には、塗布部５２が形成されており、球体収納部５５は、チューブ容器５１の口部５３に螺合又は嵌合されている。同様に球体５６は、球体収納部５５内で上下動しないように、玉止部５７で固定されている。その他、縦溝部５９及び通路５４ａ及び狭部５４ｂ等の構成は、他の実施の形態と同様である。
【００１９】
図１２〜図１５は、この発明に係る滴下機能付き容器の第７、第８及び第９実施の態様を示すもので、夫々エアゾール容器１０１、１１１、１２１のバルブ１０２、１１２、１２２に、押圧体１０３、１１３、１２３が連結された実施の形態を示した図面である。この押圧体１０３、１１３、１２３内には、夫々球体１０３ｂ、１１３ｂ、１２３ｂが、他の実施の形態と同様に固定されている。又縦溝も形成されている。そして、図１３に示すように、押圧体１０３、１１３、１２３の押圧部１０３ａ、１１３ａ、１２３ａを、夫々容器方向（図１２の矢印方向）に指で押圧することにより、夫々のエアゾール容器１０１、１１１、１２１のバルブ１０２、１１２、１２２を開状態にでき、内容物１０５、１１５、１２５を外部へ取り出すことができる。図１２及び図１３は、エアゾール容器１０１内に内筒１０４を設け、この内筒１０４の底部を、エアゾール容器１０１の底部内面に当接したものである。又、図１４は、内容物１１５とプロペラントが混合して充填されたカール部を有するエアゾール容器１１１に適用したものである。さらに、図１５は、カール部を有するエアゾール容器１２１内に、内筒１２４を懸吊した状態を示す二重エアゾール容器に適用したものである。そして、これらの押圧体１０３、１１３、１２３には夫々キャップ１０８、１１８、１２８が被せてある。なお、この発明に係る滴下機能付き容器を、樹脂製等のボトル容器に適用できることはいうまでもない。
【００２０】
次に、この発明の作用について説明する。球体は球体挿入口から無理挿入され、さらに玉止部から球体収納部へ無理挿入される。図に示すように、球体は、球体収納部又は押圧体内で玉止部で完全に固定されているので上下に移動しない。したがって、図２に示すように、チューブ容器の胴部を押圧して内容物を抽出する際に、球体より先に内容物が流れるのを防止できると共に、球体と球体収納部又は押圧体との間に内容物の膜が生じるのを防止することができる。球体と球体収納部又は押圧体とは常に密着し、必要以上の内容物が外に流れ出すのを防止することができる。そして、内容物は、縦溝及び狭部を通過することにより、常に一定量の内容物が、切れよくかつ安定的に外部に供給される。又球体は成形後に、研磨加工が施されるので寸法公差、真球度が高い。したがって、球体と栓本体の嵌合具合も良好であり、内容物の抽出量及び抽出スピードが安定化し、滴下量も安定的である。
【００２１】
さらに、球体には方向性がないので、量産工程において頗る作業性がよい。そして、ノズル部又は塗布部の通路の高さ寸法は４〜５ｍｍに設定されているので、縦溝を通過した内容物は、その後一旦通路の内部に溜まる。そして、この内容物の溜まりが、滴下機能を促進させる。そして、通路の高さ寸法を決定することにより一滴の滴下量を調節することができる。そして、容器内の内容物を有効に滴下させることができる。この発明に係る滴下機能付き容器は、チューブ容器又はエアゾール容器として適用でき、充填される内容物としては、目薬、口臭予防薬、水虫薬、皮膚薬等の薬剤、その他オイル、クリーム類等の食品、接着剤等を充填することができる。
【００２２】
【発明の効果】
以上説明してきたように、この発明によればチューブ容器において、内容物を切れ良く安定的に、かつ所望する量を確実に滴下させることができる効果を有する。又量産化が頗る容易である効果を奏する。
【図面の簡単な説明】
【図１】この発明に係る滴下機能付きチューブ容器の第１実施の形態を示す断面図。
【図２】この発明に係る第１実施の形態の滴下機能付きチューブ容器を、押圧している状態を示す一部切り欠き断面図。
【図３】この発明に係る滴下機能付きチューブ容器の第２実施の形態を示す断面図。
【図４】この発明に係る滴下機能付きチューブ容器の第３実施の形態を示す断面図。
【図５】この発明に係る滴下機能付きチューブ容器の第４実施の形態を示す断面図。
【図６】この発明に係る滴下機能付きチューブ容器の第５実施の形態を示す断面図。
【図７】この発明に係る滴下機能付きチューブ容器の第６実施の形態を示す断面図。
【図８】この発明に係る滴下機能付きチューブ容器において、縦溝を内容物が通過する状態を示す拡大断面図。
【図９】この発明に係る滴下機能付きチューブ容器において、球体収納部にシボ加工した部位を内容物が通過する状態を示す拡大断面図。
【図１０】この発明に係る滴下機能付きチューブ容器において、球体の表面にシボ加工した部位を内容物が通過する状態を示す拡大断面図。
【図１１】この発明に係る滴下機能付きチューブ容器において、シボ加工の深さＨを示す拡大断面図。
【図１２】この発明に係る滴下機能付きエアゾール容器において、球体を内装した押圧体をエアゾール容器のバルブに連結し、横向きにして内容物を出している状態の第７実施の形態を示す断面図。
【図１３】この発明に係る滴下機能付きエアゾール容器において、球体を内装した押圧体を、エアゾール容器のバルブに連結した状態の第７実施の形態を示す断面図。
【図１４】この発明に係る滴下機能付きエアゾール容器において、球体を内装した押圧体を、カール部を有するエアゾール容器のバルブに連結した状態の第８実施の形態を示す断面図。
【図１５】この発明に係る滴下機能付きエアゾール容器において、球体を内装した押圧体を、カール部を有する二重エアゾール容器のバルブに連結した状態の第９実施の形態を示す断面図。
【図１６】従来の球体が上下動する滴下機能付きチューブ容器の栓本体を示した断面図。
【符号の説明】
１  １１  ２１  ３１  ５１  チューブ容器
２  １２  栓本体
３  １３  ２３  ３３  ５３  口部
４  １４  １０９  １１９  １２９  ノズル部
４ａ  １４ａ  ２４ａ  ３４ａ  ５４ａ  通路
４ｂ  １４ｂ  ２４ｂ  ３４ｂ  ５４ｂ  狭部
５  １５  ２５  ３５  ５５  球体収納部
６  １６  ２６  ３６  ５６  球体
７  １７  ２７  ３７  ５７  玉止部
９０  ９５  ワンタッチキャップ
【図１】
0004232090.tif 000002
【図２】
0004232090.tif 000003
【図３】
0004232090.tif 000004
【図４】
0004232090.tif 000005
【図５】
0004232090.tif 000006
【図６】
0004232090.tif 000007
【図７】
0004232090.tif 000008
【図８】
0004232090.tif 000009
【図９】
0004232090.tif 000010
【図１０】
0004232090.tif 000011
【図１１】
0004232090.tif 000012
【図１２】
0004232090.tif 000013
【図１３】
0004232090.tif 000014
【図１４】
0004232090.tif 000015
【図１５】
0004232090.tif 000016
【図１６】
0004232090.tif 000017